(57)【特許請求の範囲】
【請求項１】
照明用光源装置であって、
１次光を射出する１次光源を有する光源ユニットと、
前記１次光の光学的性質を変換して２次光を生成する光変換素子を有する光変換ユニットと、
を備え、
第１の光変換ユニットと第２の光変換ユニットを少なくとも含む複数の前記光変換ユニットを有し、
前記１次光源と前記第１の光変換ユニットは第１の導光路によって光学的に接続されており、
前記１次光源と前記第２の光変換ユニットは第２の導光路によって光学的に接続されており、
前記第１の導光路及び前記第２の導光路の上に、前記１次光源と、前記第１の光変換ユニット及び前記第２の光変換ユニットと、を同時に着脱可能な接続部を有し、
前記複数の光変換ユニットは、共通の光変換ユニット保持部材に取り付けられて集積型光変換ユニットを形成し、
前記接続部のうち、光源ユニット側に取り付けられた前記接続部の一方を第１の接続部とし、光変換ユニット側に取り付けられた前記接続部の他方を第２の接続部としたときに、
前記第１の接続部は、一つにまとめられて第１の集積型接続部を構成しており、
前記第２の接続部は、一つの接続部保持部材に取り付けられて第２の集積型接続部を構成しており、
前記第１の集積型接続部と前記第２の集積型接続部は、着脱可能な集積型接続部を構成している、
照明用光源装置を具備し、
前記集積型光変換ユニットは、複数の集積型光変換ユニットにより集積型光変換ユニット群を構成しており、
前記集積型光変換ユニット群のメンバーである集積型光変換ユニットは全て、前記着脱可能な集積型接続部において着脱可能であり、
前記集積型光変換ユニット群は、前記光変換ユニット保持部材上の前記光変換ユニットの取り付け位置が互いに異なる集積型光変換ユニットを含むことを特徴とする照明用光源システム。
【請求項２】
照明用光源装置であって、
１次光を射出する１次光源を有する光源ユニットと、
前記１次光の光学的性質を変換して２次光を生成する光変換素子を有する光変換ユニットと、
を備え、
第１の光変換ユニットと第２の光変換ユニットを少なくとも含む複数の前記光変換ユニットを有し、
前記１次光源と前記第１の光変換ユニットは第１の導光路によって光学的に接続されており、
前記１次光源と前記第２の光変換ユニットは第２の導光路によって光学的に接続されており、
前記第１の導光路及び前記第２の導光路の上に、前記１次光源と、前記第１の光変換ユニット及び前記第２の光変換ユニットと、を同時に着脱可能な接続部を有し、
前記複数の光変換ユニットは、共通の光変換ユニット保持部材に取り付けられて集積型光変換ユニットを形成し、
前記接続部のうち、光源ユニット側に取り付けられた前記接続部の一方を第１の接続部とし、光変換ユニット側に取り付けられた前記接続部の他方を第２の接続部としたときに、
前記第１の接続部は、一つにまとめられて第１の集積型接続部を構成しており、
前記第２の接続部は、一つの接続部保持部材に取り付けられて第２の集積型接続部を構成しており、
前記第１の集積型接続部と前記第２の集積型接続部は、着脱可能な集積型接続部を構成している、
照明用光源装置を具備し、
前記集積型光変換ユニットは、複数の集積型光変換ユニットにより集積型光変換ユニット群を構成しており、
前記集積型光変換ユニット群のメンバーである集積型光変換ユニットは全て、前記着脱可能な集積型接続部において着脱可能であり、
前記集積型光変換ユニット群は、前記１次光の光学的性質のうち、ピーク波長、スペクトル形状、放射角の少なくとも一つに対する光変換機能が互いに異なる光変換ユニットを、少なくとも一つ含む集積型光変換ユニットを有することを特徴とする照明用光源システム。
【請求項３】
照明用光源装置であって、
１次光を射出する１次光源を有する光源ユニットと、
前記１次光の光学的性質を変換して２次光を生成する光変換素子を有する光変換ユニットと、
を備え、
第１の光変換ユニットと第２の光変換ユニットを少なくとも含む複数の前記光変換ユニットを有し、
前記１次光源と前記第１の光変換ユニットは第１の導光路によって光学的に接続されており、
前記１次光源と前記第２の光変換ユニットは第２の導光路によって光学的に接続されており、
前記第１の導光路及び前記第２の導光路の上に、前記１次光源と、前記第１の光変換ユニット及び前記第２の光変換ユニットと、を同時に着脱可能な接続部を有し、
前記複数の光変換ユニットは、共通の光変換ユニット保持部材に取り付けられて集積型光変換ユニットを形成し、
前記接続部のうち、光源ユニット側に取り付けられた前記接続部の一方を第１の接続部とし、光変換ユニット側に取り付けられた前記接続部の他方を第２の接続部としたときに、
前記第１の接続部は、一つにまとめられて第１の集積型接続部を構成しており、
前記第２の接続部は、一つの接続部保持部材に取り付けられて第２の集積型接続部を構成しており、
前記第１の集積型接続部と前記第２の集積型接続部は、着脱可能な集積型接続部を構成している、
照明用光源装置を具備し、
前記集積型光変換ユニットは、複数の集積型光変換ユニットにより集積型光変換ユニット群を構成しており、
前記集積型光変換ユニット群のメンバーである集積型光変換ユニットは全て、前記着脱可能な集積型接続部において着脱可能であり、
前記集積型光変換ユニット群は、それぞれの集積型光変換ユニットの有する光変換ユニットの数が互いに異なる集積型光変換ユニットを少なくとも一つ含むことを特徴とする照明用光源システム。
【請求項４】
照明用光源装置であって、
１次光を射出する１次光源を有する光源ユニットと、
前記１次光の光学的性質を変換して２次光を生成する光変換素子を有する光変換ユニットと、
を備え、
第１の光変換ユニットと第２の光変換ユニットを少なくとも含む複数の前記光変換ユニットを有し、
前記１次光源と前記第１の光変換ユニットは第１の導光路によって光学的に接続されており、
前記１次光源と前記第２の光変換ユニットは第２の導光路によって光学的に接続されており、
前記第１の導光路及び前記第２の導光路の上に、前記１次光源と、前記第１の光変換ユニット及び前記第２の光変換ユニットと、を同時に着脱可能な接続部を有し、
前記複数の光変換ユニットは、共通の光変換ユニット保持部材に取り付けられて集積型光変換ユニットを形成し、
前記接続部のうち、光源ユニット側に取り付けられた前記接続部の一方を第１の接続部とし、光変換ユニット側に取り付けられた前記接続部の他方を第２の接続部としたときに、
前記第１の接続部は、一つにまとめられて第１の集積型接続部を構成しており、
前記第２の接続部は、一つの接続部保持部材に取り付けられて第２の集積型接続部を構成しており、
前記第１の集積型接続部と前記第２の集積型接続部は、着脱可能な集積型接続部を構成している、
照明用光源装置を具備し、
前記光源ユニットは、複数の光源ユニットにより光源ユニット群を構成しており、
前記光源ユニット群のメンバーは全て、前記着脱可能な集積型接続部において着脱可能であり、
前記光源ユニット群は、前記光源ユニットが射出する前記１次光の光学的性質のうち、ピーク波長、スペクトル形状、最大出力の少なくとも一つが互いに異なる１次光を放射可能であるメンバーを有することを特徴とする照明用光源システム。
【請求項５】
照明用光源装置であって、
１次光を射出する１次光源を有する光源ユニットと、
前記１次光の光学的性質を変換して２次光を生成する光変換素子を有する光変換ユニットと、
を備え、
第１の光変換ユニットと第２の光変換ユニットを少なくとも含む複数の前記光変換ユニットを有し、
前記１次光源と前記第１の光変換ユニットは第１の導光路によって光学的に接続されており、
前記１次光源と前記第２の光変換ユニットは第２の導光路によって光学的に接続されており、
前記第１の導光路及び前記第２の導光路の上に、前記１次光源と、前記第１の光変換ユニット及び前記第２の光変換ユニットと、を同時に着脱可能な接続部を有し、
前記複数の光変換ユニットは、共通の光変換ユニット保持部材に取り付けられて集積型光変換ユニットを形成し、
前記接続部のうち、光源ユニット側に取り付けられた前記接続部の一方を第１の接続部とし、光変換ユニット側に取り付けられた前記接続部の他方を第２の接続部としたときに、
前記第１の接続部は、一つにまとめられて第１の集積型接続部を構成しており、
前記第２の接続部は、一つの接続部保持部材に取り付けられて第２の集積型接続部を構成しており、
前記第１の集積型接続部と前記第２の集積型接続部は、着脱可能な集積型接続部を構成している、
照明用光源装置を具備し、
前記光源ユニットは、複数の光源ユニットにより光源ユニット群を構成しており、
前記光源ユニット群のメンバーは全て、前記着脱可能な集積型接続部において着脱可能であり、
前記光源ユニット群は、光源ユニットの有する１次光源の数が互いに異なるメンバーを有することを特徴とする照明用光源システム。
【請求項６】
照明用光源装置であって、
１次光を射出する１次光源を有する光源ユニットと、
前記１次光の光学的性質を変換して２次光を生成する光変換素子を有する光変換ユニットと、
を備え、
第１の光変換ユニットと第２の光変換ユニットを少なくとも含む複数の前記光変換ユニットを有し、
前記１次光源と前記第１の光変換ユニットは第１の導光路によって光学的に接続されており、
前記１次光源と前記第２の光変換ユニットは第２の導光路によって光学的に接続されており、
前記第１の導光路及び前記第２の導光路の上に、前記１次光源と、前記第１の光変換ユニット及び前記第２の光変換ユニットと、を同時に着脱可能な接続部を有し、
前記複数の光変換ユニットは、共通の光変換ユニット保持部材に取り付けられて集積型光変換ユニットを形成し、
前記接続部のうち、光源ユニット側に取り付けられた前記接続部の一方を第１の接続部とし、光変換ユニット側に取り付けられた前記接続部の他方を第２の接続部としたときに、
前記第１の接続部は、一つにまとめられて第１の集積型接続部を構成しており、
前記第２の接続部は、一つの接続部保持部材に取り付けられて第２の集積型接続部を構成しており、
前記第１の集積型接続部と前記第２の集積型接続部は、着脱可能な集積型接続部を構成している、
照明用光源装置を具備し、
前記光源ユニットは、複数の光源ユニットにより光源ユニット群を構成しており、
前記光源ユニット群のメンバーは全て、前記着脱可能な集積型接続部において着脱可能であり、
前記光源ユニット群は、前記第１の集積型接続部の有効な接続部の数が互いに異なるメンバーを有することを特徴とする照明用光源システム。
【請求項７】
前記第１の集積型接続部において前記１次光源と光学的に接続されている前記第１の接続部の数を前記第１の集積型接続部の有効な接続部の数とし、前記第２の集積型接続部の有する接続部保持部材に取り付けられている前記第２の接続部の数を前記第２の集積型接続部の有効な接続部の数としたときに、
前記第１の集積型接続部の有効な接続部の数は、前記第２の集積型接続部の有効な接続部の数と等しいか、またはそれより多いことを特徴とする請求項１から６のいずれか一項に記載の照明用光源システム。
【請求項８】
前記接続部保持部材の、前記第２の接続部を取り付け可能な接続部取付位置において、前記第２の接続部が取り付けられていない接続部取付位置に、前記１次光が外部に漏れ出すのを防止する遮光手段が設けられていることを特徴とする請求項７に記載の照明用光源システム。
【請求項９】
前記光源ユニットの有する１次光源の数は、前記第１の接続部の数と等しいか、それより少ないことを特徴とする請求項１から６のいずれか一項に記載の照明用光源システム。
【請求項１０】
前記光変換ユニットはそれぞれ、前記１次光の光学的性質のうち、ピーク波長、スペクトル形状、放射角の少なくとも一つに対する光変換機能を有しており、
前記集積型光変換ユニットは、前記波長変換機能が互いに異なる光変換ユニットを含むことを特徴とする請求項１から６のいずれか一項に記載の照明用光源システム。
【請求項１１】
前記導光路は、光ファイバまたはフィルム導光路であることを特徴とする請求項１から６のいずれか一項に記載の照明用光源システム。
【請求項１２】
前記光変換ユニットは、拡散部材及び蛍光部材の少なくともいずれか一方を備えることを特徴とする請求項１から６のいずれか一項に記載の照明用光源システム。
【請求項１３】
前記１次光源から前記光変換ユニットまでの導光路において、前記１次光源から射出された１次光を光学的に分岐する光カプラをさらに備えていることを特徴とする請求項１から６のいずれか一項に記載の照明用光源システム。
【請求項１４】
前記光カプラは、前記１次光源から前記接続部までの導光路に配置されていることを特徴とする請求項１３に記載の照明用光源システム。
【請求項１５】
前記１次光源の数は前記接続部に接続される前記光変換ユニットの数よりも少ないことを特徴とする請求項１から６のいずれか一項に記載の照明用光源システム。
【請求項１６】
前記光カプラは、前記１次光を入射可能な複数の入射端と複数の射出端を有し、
前記複数の入射端の少なくとも１つに光検出器を備えることを特徴とする請求項１３または１４に記載の照明用光源システム。
【請求項１７】
前記光源ユニットは複数の前記１次光源を有し、
前記複数の１次光源と前記複数の光変換ユニットとはそれぞれ導光路によって光学的に接続されており、
前記接続部は、前記複数の１次光源と前記複数の光変換ユニットとを着脱可能であることを特徴とする請求項１から６のいずれか一項に記載の照明用光源システム。
【請求項１８】
前記複数の１次光源及び前記複数の光変換ユニットは、各々実質的に同じ光学特性を有することを特徴とする請求項１７に記載の照明用光源システム。
【発明の詳細な説明】
【技術分野】
【０００１】
本発明は、照明用光源システムに関する。
【背景技術】
【０００２】
特許文献１には、青色レーザ光源から射出されたレーザ光をライトガイドで先端まで導光し、先端に設けられた波長変換部材で波長変換する第１ユニットと、青色よりも短い波長のレーザ光源とライトガイドと波長変換部材とを用いた第２ユニットと、を組み合わせた発光装置が提案されている。特許文献１は、このような第１ユニットと第２ユニットの組み合わせにより、第１ユニット単体の場合と比較して演色性が向上すると述べている。
【先行技術文献】
【特許文献】
【０００３】
【特許文献１】特開２００６−１７３３２４号公報
【発明の概要】
【発明が解決しようとする課題】
【０００４】
近年、内視鏡等の観察用の光源装置では、観察の目的に応じて、明るさやピーク波長、発光色すなわちスペクトル形状、放射角などを適切に選択することで、観察しようとするものの視認性を向上するなどの取組みが進められている。
【０００５】
このような取組みに対し、上記特許文献１による光源装置では、目的に応じた光を得るためには、レーザ光源とライトガイドと波長変換部材とを用いたユニットを、その目的の光の数だけ用意する必要がある。しかし、多数のユニットを用意するのは、コストや保管場所などの観点から、実務上困難である。
【０００６】
本発明は、上記の点に鑑みてなされたもので、目的に応じた様々な光を放射可能な一つの照明用光源システムを提供することを目的とする。
【課題を解決するための手段】
【０００７】
本発明の照明用光源システムの第１の態様は、
照明用光源装置であって、
１次光を射出する１次光源を有する光源ユニットと、
前記１次光の光学的性質を変換して２次光を生成する光変換素子を有する光変換ユニットと、
を備え、
第１の光変換ユニットと第２の光変換ユニットを少なくとも含む複数の前記光変換ユニットを有し、
前記１次光源と前記第１の光変換ユニットは第１の導光路によって光学的に接続されており、
前記１次光源と前記第２の光変換ユニットは第２の導光路によって光学的に接続されており、
前記第１の導光路及び前記第２の導光路の上に、前記１次光源と、前記第１の光変換ユニット及び前記第２の光変換ユニットと、を同時に着脱可能な接続部を有し、
前記複数の光変換ユニットは、共通の光変換ユニット保持部材に取り付けられて集積型光変換ユニットを形成し、
前記接続部のうち、光源ユニット側に取り付けられた前記接続部の一方を第１の接続部とし、光変換ユニット側に取り付けられた前記接続部の他方を第２の接続部としたときに、
前記第１の接続部は、一つにまとめられて第１の集積型接続部を構成しており、
前記第２の接続部は、一つの接続部保持部材に取り付けられて第２の集積型接続部を構成しており、
前記第１の集積型接続部と前記第２の集積型接続部は、着脱可能な集積型接続部を構成している、
照明用光源装置を具備し、
前記集積型光変換ユニットは、複数の集積型光変換ユニットにより集積型光変換ユニット群を構成しており、
前記集積型光変換ユニット群のメンバーである集積型光変換ユニットは全て、前記着脱可能な集積型接続部において着脱可能であり、
前記集積型光変換ユニット群は、前記光変換ユニット保持部材上の前記光変換ユニットの取り付け位置が互いに異なる集積型光変換ユニットを含むことを特徴とする。
本発明の照明用光源システムの第２の態様は、
照明用光源装置であって、
１次光を射出する１次光源を有する光源ユニットと、
前記１次光の光学的性質を変換して２次光を生成する光変換素子を有する光変換ユニットと、
を備え、
第１の光変換ユニットと第２の光変換ユニットを少なくとも含む複数の前記光変換ユニットを有し、
前記１次光源と前記第１の光変換ユニットは第１の導光路によって光学的に接続されており、
前記１次光源と前記第２の光変換ユニットは第２の導光路によって光学的に接続されており、
前記第１の導光路及び前記第２の導光路の上に、前記１次光源と、前記第１の光変換ユニット及び前記第２の光変換ユニットと、を同時に着脱可能な接続部を有し、
前記複数の光変換ユニットは、共通の光変換ユニット保持部材に取り付けられて集積型光変換ユニットを形成し、
前記接続部のうち、光源ユニット側に取り付けられた前記接続部の一方を第１の接続部とし、光変換ユニット側に取り付けられた前記接続部の他方を第２の接続部としたときに、
前記第１の接続部は、一つにまとめられて第１の集積型接続部を構成しており、
前記第２の接続部は、一つの接続部保持部材に取り付けられて第２の集積型接続部を構成しており、
前記第１の集積型接続部と前記第２の集積型接続部は、着脱可能な集積型接続部を構成している、
照明用光源装置を具備し、
前記集積型光変換ユニットは、複数の集積型光変換ユニットにより集積型光変換ユニット群を構成しており、
前記集積型光変換ユニット群のメンバーである集積型光変換ユニットは全て、前記着脱可能な集積型接続部において着脱可能であり、
前記集積型光変換ユニット群は、前記１次光の光学的性質のうち、ピーク波長、スペクトル形状、放射角の少なくとも一つに対する光変換機能が互いに異なる光変換ユニットを、少なくとも一つ含む集積型光変換ユニットを有することを特徴とする。
本発明の照明用光源システムの第３の態様は、
照明用光源装置であって、
１次光を射出する１次光源を有する光源ユニットと、
前記１次光の光学的性質を変換して２次光を生成する光変換素子を有する光変換ユニットと、
を備え、
第１の光変換ユニットと第２の光変換ユニットを少なくとも含む複数の前記光変換ユニットを有し、
前記１次光源と前記第１の光変換ユニットは第１の導光路によって光学的に接続されており、
前記１次光源と前記第２の光変換ユニットは第２の導光路によって光学的に接続されており、
前記第１の導光路及び前記第２の導光路の上に、前記１次光源と、前記第１の光変換ユニット及び前記第２の光変換ユニットと、を同時に着脱可能な接続部を有し、
前記複数の光変換ユニットは、共通の光変換ユニット保持部材に取り付けられて集積型光変換ユニットを形成し、
前記接続部のうち、光源ユニット側に取り付けられた前記接続部の一方を第１の接続部とし、光変換ユニット側に取り付けられた前記接続部の他方を第２の接続部としたときに、
前記第１の接続部は、一つにまとめられて第１の集積型接続部を構成しており、
前記第２の接続部は、一つの接続部保持部材に取り付けられて第２の集積型接続部を構成しており、
前記第１の集積型接続部と前記第２の集積型接続部は、着脱可能な集積型接続部を構成している、
照明用光源装置を具備し、
前記集積型光変換ユニットは、複数の集積型光変換ユニットにより集積型光変換ユニット群を構成しており、
前記集積型光変換ユニット群のメンバーである集積型光変換ユニットは全て、前記着脱可能な集積型接続部において着脱可能であり、
前記集積型光変換ユニット群は、それぞれの集積型光変換ユニットの有する光変換ユニットの数が互いに異なる集積型光変換ユニットを少なくとも一つ含むことを特徴とする。
【０００８】
また、本発明の照明用光源システムの第４の態様は、
照明用光源装置であって、
１次光を射出する１次光源を有する光源ユニットと、
前記１次光の光学的性質を変換して２次光を生成する光変換素子を有する光変換ユニットと、
を備え、
第１の光変換ユニットと第２の光変換ユニットを少なくとも含む複数の前記光変換ユニットを有し、
前記１次光源と前記第１の光変換ユニットは第１の導光路によって光学的に接続されており、
前記１次光源と前記第２の光変換ユニットは第２の導光路によって光学的に接続されており、
前記第１の導光路及び前記第２の導光路の上に、前記１次光源と、前記第１の光変換ユニット及び前記第２の光変換ユニットと、を同時に着脱可能な接続部を有し、
前記複数の光変換ユニットは、共通の光変換ユニット保持部材に取り付けられて集積型光変換ユニットを形成し、
前記接続部のうち、光源ユニット側に取り付けられた前記接続部の一方を第１の接続部とし、光変換ユニット側に取り付けられた前記接続部の他方を第２の接続部としたときに、
前記第１の接続部は、一つにまとめられて第１の集積型接続部を構成しており、
前記第２の接続部は、一つの接続部保持部材に取り付けられて第２の集積型接続部を構成しており、
前記第１の集積型接続部と前記第２の集積型接続部は、着脱可能な集積型接続部を構成している、
照明用光源装置を具備し、
前記光源ユニットは、複数の光源ユニットにより光源ユニット群を構成しており、
前記光源ユニット群のメンバーは全て、前記着脱可能な集積型接続部において着脱可能であり、
前記光源ユニット群は、前記光源ユニットが射出する前記１次光の光学的性質のうち、ピーク波長、スペクトル形状、最大出力の少なくとも一つが互いに異なる１次光を放射可能であるメンバーを有することを特徴とする。
本発明の照明用光源システムの第５の態様は、
照明用光源装置であって、
１次光を射出する１次光源を有する光源ユニットと、
前記１次光の光学的性質を変換して２次光を生成する光変換素子を有する光変換ユニットと、
を備え、
第１の光変換ユニットと第２の光変換ユニットを少なくとも含む複数の前記光変換ユニットを有し、
前記１次光源と前記第１の光変換ユニットは第１の導光路によって光学的に接続されており、
前記１次光源と前記第２の光変換ユニットは第２の導光路によって光学的に接続されており、
前記第１の導光路及び前記第２の導光路の上に、前記１次光源と、前記第１の光変換ユニット及び前記第２の光変換ユニットと、を同時に着脱可能な接続部を有し、
前記複数の光変換ユニットは、共通の光変換ユニット保持部材に取り付けられて集積型光変換ユニットを形成し、
前記接続部のうち、光源ユニット側に取り付けられた前記接続部の一方を第１の接続部とし、光変換ユニット側に取り付けられた前記接続部の他方を第２の接続部としたときに、
前記第１の接続部は、一つにまとめられて第１の集積型接続部を構成しており、
前記第２の接続部は、一つの接続部保持部材に取り付けられて第２の集積型接続部を構成しており、
前記第１の集積型接続部と前記第２の集積型接続部は、着脱可能な集積型接続部を構成している、
照明用光源装置を具備し、
前記光源ユニットは、複数の光源ユニットにより光源ユニット群を構成しており、
前記光源ユニット群のメンバーは全て、前記着脱可能な集積型接続部において着脱可能であり、
前記光源ユニット群は、光源ユニットの有する１次光源の数が互いに異なるメンバーを有することを特徴とする。
本発明の照明用光源システムの第６の態様は、
照明用光源装置であって、
１次光を射出する１次光源を有する光源ユニットと、
前記１次光の光学的性質を変換して２次光を生成する光変換素子を有する光変換ユニットと、
を備え、
第１の光変換ユニットと第２の光変換ユニットを少なくとも含む複数の前記光変換ユニットを有し、
前記１次光源と前記第１の光変換ユニットは第１の導光路によって光学的に接続されており、
前記１次光源と前記第２の光変換ユニットは第２の導光路によって光学的に接続されており、
前記第１の導光路及び前記第２の導光路の上に、前記１次光源と、前記第１の光変換ユニット及び前記第２の光変換ユニットと、を同時に着脱可能な接続部を有し、
前記複数の光変換ユニットは、共通の光変換ユニット保持部材に取り付けられて集積型光変換ユニットを形成し、
前記接続部のうち、光源ユニット側に取り付けられた前記接続部の一方を第１の接続部とし、光変換ユニット側に取り付けられた前記接続部の他方を第２の接続部としたときに、
前記第１の接続部は、一つにまとめられて第１の集積型接続部を構成しており、
前記第２の接続部は、一つの接続部保持部材に取り付けられて第２の集積型接続部を構成しており、
前記第１の集積型接続部と前記第２の集積型接続部は、着脱可能な集積型接続部を構成している、
照明用光源装置を具備し、
前記光源ユニットは、複数の光源ユニットにより光源ユニット群を構成しており、
前記光源ユニット群のメンバーは全て、前記着脱可能な集積型接続部において着脱可能であり、
前記光源ユニット群は、前記第１の集積型接続部の有効な接続部の数が互いに異なるメンバーを有することを特徴とする。
【発明の効果】
【０００９】
本発明によれば、一つの光源ユニットに対し集積型光変換ユニットが交換可能であるので、集積型光変換ユニットを目的に応じて交換することで、目的に応じた様々な光を放射可能な一つの照明用光源システムを提供することができる。
【図面の簡単な説明】
【００１０】
【図１】図１は、本発明の第１実施形態に係る光源システムの構成を示す図である。
【図２】図２（Ａ）乃至（Ｃ）はそれぞれ図１の光源システムにおける光変換ユニットの構成を示す断面図である。
【図３】図３は、図１の光源システムにおける集積型接続部の構成を示す斜視図である。
【図４】図４は、本発明の第２実施形態に係る光源システムの構成を示す図である。
【図５】図５は、図４の光源システムにおける集積型光変換ユニットの構成を示す図である。
【図６】図６は、図４中の光源ユニット１００−１と集積型光変換ユニット２００−４を組み合わせた光源装置の動作を説明するための図である。
【図７】図７は、第２実施形態に係る光源システムにおける別の光源ユニットの構成を示す図である。
【図８】図８は、第２実施形態の変形例に係る光源システムにおける光源ユニットの構成を示す図である。
【図９】図９は、第２実施形態の変形例に係る光源システムにおける別の光源ユニットの構成を示す図である。
【図１０】図１０は、本発明の全ての実施形態に関する変形例におけるフィルム導光路を説明するための図である。
【図１１】図１１は、本発明の全ての実施形態に関する変形例における光カプラを説明するための図である。
【発明を実施するための形態】
【００１１】
以下、本発明を実施するための形態を図面を参照して説明する。
［第１実施形態］
まず、本発明の第１実施形態に係る光源システムの構成を説明する。
【００１２】
図１に示すように、本実施形態に係る光源システムは、光源ユニット１００−１と、複数の集積型光変換ユニット２００−１，２００−２，２００−３でなる集積型光変換ユニット群のうちの一つと、を組み合わせて構成される光源装置である。
【００１３】
ここで、光源ユニット１００−１は、１次光源である二つの半導体レーザ１０−１と、第１の導光路としての光ファイバ２０と、集積型接続部５００のうち、光源ユニット側のコネクタである、第１の集積型接続部としての多芯コネクタ５２０と、を有している。多芯コネクタ５２０は、集積型光変換ユニット２００−１，２００−２，２００−３側の第２の集積型接続部としてのもう一方の多芯コネクタ５４０と着脱可能である。
【００１４】
半導体レーザ１０−１は、波長約４５０ｎｍの青色光を射出する青色半導体レーザである。青色半導体レーザ１０−１と光ファイバ２０とは、図示しないレンズ等により光学的に接続されており、半導体レーザ１０−１から射出された１次光である青色レーザ光は、光ファイバ２０のコアに効率的に入射するように構成されている。光ファイバ２０に入射した青色レーザ光は、集積型接続部５００を経由して、接続された集積型光変換ユニット２００−１，２００−２または２００−３の光変換ユニットまで導光される。
【００１５】
本実施形態における集積型光変換ユニット２００−１，２００−２，２００−３は、光変換ユニットをそれぞれ二つずつ有しており、光変換ユニットは、フェルール４２と、保持部材４０−１，４０−２及び４０−３のうちの同じ又は異なる二つと、それら保持部材４０−１，４０−２，４０−３の内部に搭載された光変換素子と、により構成される。二つの光変換ユニットは、一つの光変換ユニット保持部材６０−１，６０−２，６０−３に固定されて、集積型光変換ユニット２００−１，２００−２，２００−３を構成している。また、光変換ユニットに接続された導光路としての第２の光ファイバ２２の他端に設けられた接続部も、後述するように複数が一つにまとめられて第２の集積型接続部（多芯コネクタ５４０）となっている。図１に示した集積型光変換ユニット２００−１，２００−２及び２００−３の断面図を、図２（Ａ），図２（Ｂ）及び図２（Ｃ）に示す。
【００１６】
第１の集積型光変換ユニット２００−１は、図２（Ａ）に示すように、二つの光変換ユニットを、光変換ユニット保持部材６０−１に搭載して構成されている。二つの光変換ユニットのそれぞれは、保持部材４０−１、蛍光体３０−１及びフェルール４２をそれぞれ有している。保持部材４０−１は、底のある円筒形状を有しており、その円筒の内部には、１次光を吸収し、１次光のピーク波長をそれより長波長に、スペクトル形状を広くブロードに、放射角を広げるように光変換する波長変換部材である蛍光体３０−１が挿入されている。この蛍光体３０−１は、粉末状の蛍光物質を、１次光を透過する性質を有する樹脂、ガラス等と混合し、固めて構成されている。また、保持部材４０−１の円筒の底面には、１次光を透過する開口が設けられており、フェルール４２と該フェルール４２内に配置された第２の導光路としての光ファイバ２２とが挿入されている。本実施形態では、蛍光体３０−１内の蛍光物質は、ＣｅドープのＹＡＧ（イットリウム・アルミニウム・ガーネット）を、透明なシリコーン樹脂に混合して構成されている。蛍光体３０−１は、円板形状であり、その厚さと濃度は、射出される２次光の光特性が観察対象物を照明する照明光として最適となるように調整されている。
【００１７】
また、第２の集積型光変換ユニット２００−２は、図２（Ｂ）に示すように、基本的には上記第１の集積型光変換ユニット２００−１と同様に構成されており、二つの光変換ユニットの有する保持部材４０−２とその内部に挿入された光変換素子とが異なっている。集積型光変換ユニット２００−２の有する光変換素子は、放射角変換素子として、１次光を拡散する拡散部材３２−１が保持部材４０−２の内部に挿入されている。拡散部材３２−１は、１次光のピーク波長、スペクトル形状は変換せず、放射角を広げる機能を有している。拡散部材３２−１は、１次光を透過する性質を有する部材の内部に、それとは屈折率の異なる部材を混合して固められている。例えば、屈折率１．４の樹脂と屈折率１．５のガラスフィラーとを混合して構成されている。拡散部材３２−１の厚さと濃度は、射出される２次光の放射角が観察対象物を照明する照明光として最適となるように調整されている。
【００１８】
そして、第３の集積型光変換ユニット２００−３は、図２（Ｃ）に示すように、上記第１の集積型光変換ユニット２００−１に搭載された蛍光体３０−１を有する光変換ユニットと、上記第２の集積型光変換ユニット２００−２に搭載された拡散部材３２−１を有する光変換ユニットと、をそれぞれ一つずつ有している。
【００１９】
また、光ファイバ２０及び２２はいずれも、コアの屈折率がクラッドの屈折率より高く構成された、一般的な単線の光ファイバである。光ファイバの種類は、組み合わせて用いる１次光源の特性に合わせて選択される。本実施形態では、１次光源にマルチモードの半導体レーザ１０−１を用いているため、マルチモードファイバが適している。また、光ファイバ２０，２２は、同じ光学特性を有する光ファイバが適している。これにより、接続部のロスを軽減することができる。例えば、コア径５０μｍ、開口数ＮＡが０．２２程度のステップインデックス型光ファイバを用いることができる。
【００２０】
集積型接続部５００は、図３に示すように、第１の集積型接続部としての多芯コネクタ５２０と、第２の集積型接続部としての多芯コネクタ５４０と、により構成されている。光源ユニット１００−１側に搭載される多芯コネクタ５２０は、それぞれ青色半導体レーザ１０−１に接続された光ファイバ２０と、各光ファイバ２０の先端に取り付けられた第１の接続部５２と、を有している。そして、二つの第１の接続部５２は、共通の接続部保持部材５６に取り付けられて、第１の集積型接続部としての多芯コネクタ５２０を構成している。
【００２１】
同様に、集積型光変換ユニット側の多芯コネクタ５４０は、光ファイバ２２と、各光ファイバ２２の先端に取り付けられた第２の接続部５４と、を有している。そして、二つの第２の接続部５４は、共通の接続部保持部材５８に取り付けられて、第２の集積型接続部としての多芯コネクタ５４０を構成している。
【００２２】
これら多芯コネクタ５２０と５４０とは、図示しない勘合部により、光ファイバ２０と２２とがそれぞれ高効率に光接続される位置で固定されるように構成されている。この勘合部は、一般的に利用される光コネクタ技術を用いることができる。また、複数の接続部を一体化したような、多芯のフェルール等を用いることができる。
【００２３】
次に、本実施形態に係る光源システムの動作について説明する。  
前述の通り、本光源システムでは、光源ユニット１００−１に対し、複数の集積型光変換ユニット２００−１，２００−２または２００−３を交換可能に構成されている。
【００２４】
はじめに、光源ユニット１００−１と第１の集積型光変換ユニット２００−１との組み合わせによる光源装置の動作について説明する。
【００２５】
光源ユニット１００−１と第１の集積型光変換ユニット２００−１とを、集積型接続部５００により接続し、光源ユニット１００−１に搭載された半導体レーザ１０−１を発光させると、半導体レーザ１０−１から射出された青色レーザ光は、第１の光ファイバ２０、集積型接続部５００、第２の光ファイバ２２を通って、光変換ユニットの有する蛍光体３０−１に照射される。蛍光体３０−１は、青色レーザ光の一部を吸収して黄色光に変換し、また残りの一部を透過し、これら変換した黄色光と透過した青色光とにより白色光を構成するように、厚さ、蛍光物質の含有量が調整されている。従って、半導体レーザ１０−１から射出された青色レーザ光が蛍光体３０−１に照射されると、照明光としての白色光が射出される。
【００２６】
本実施形態では、光源ユニット１００−１が有する二つの半導体レーザ１０−１と、第１の集積型光変換ユニット２００−１が有する二つの光変換ユニットは、それぞれ同じ特性を有するように構成されている。このため、二つの半導体レーザ１０−１を点灯させた場合でも、どちらか一方を点灯させた場合でも、射出される白色光の性質は等しくなる。しかし、二つの半導体レーザ１０−１の点灯のさせ方により、照射される白色光の照射パターンや強度分布を調整することができる。また、光変換ユニット保持部材６０−１上の、光変換ユニットを搭載するための搭載部を調整することで、照明対象物に応じて適した照射パターンや強度分布となるように設計することができる。また、それぞれを限界となる明るさまで明るく光らせた場合、一つの場合と比較して、２倍の明るさまで実現することができる。
【００２７】
次に、光源ユニット１００−１と第２の集積型光変換ユニット２００−２との組み合わせによる光源装置の動作について説明する。基本的な動作については、上述の第１の集積型光変換ユニット２００−１を用いた光源装置の場合と同様である。
【００２８】
第２の集積型光変換ユニット２００−２に搭載された光変換ユニットの有する光変換素子は、拡散部材３２−１である。拡散部材３２−１は、半導体レーザ１０−１から射出された青色レーザ光の放射角を広げる特性を有している。また、レーザ光は、拡散部材３２−１を通過することで可干渉距離が短くなり、照明対象物上にスペックル等が形成されにくくなる。従って、この組み合わせでは、半導体レーザ１０−１が点灯させると、対象物を照明するのに適した広がり角であり、また、スペックル等が形成されにくい青色の照明光を射出することができる。
【００２９】
次に、光源ユニット１００−１と第３の集積型光変換ユニット２００−３との組み合わせによる光源装置の動作について説明する。基本的な動作については、上述の第１、第２の集積型光変換ユニット２００−１，２００−２を用いた光源装置の場合と同様である。
【００３０】
第３の集積型光変換ユニット２００−３に搭載された光変換ユニットの有する光変換素子は、蛍光体３０−１が一つと拡散部材３２−１が一つである。蛍光体３０−１と光学的に接続された半導体レーザ１０−１を点灯させると、白色光が射出される。また、拡散部材３２−１と光学的に接続された半導体レーザ１０−１を点灯させると、拡散された青色の照明光が射出される。
【００３１】
以上のように、本第１実施形態に係る光源システムにおいては、光源ユニット１００−１に対し、集積型光変換ユニット２００−１，２００−２，２００−３のみを交換することで、目的とする様々な照明対象物の照明に適した照明光を得ることが可能になる。また、光変換ユニットを複数束ねて集積型光変換ユニット２００−１，２００−２，２００−３とすることで、照射パターンを設計したり、より明るい光源装置を実現することが可能となる。また、二つの異なる光変換ユニットを有する集積型光変換ユニット２００−３を用いることで、半導体レーザのオンオフの切替により照明光を瞬時に切り変えることが可能となる。このとき、接続部を複数束ねて集積型接続部５００とすることで、複数の接続部を一度に着脱することが可能となる。
【００３２】
すなわち、本第１実施形態に係る光源システムでは、一つの光源ユニット１００−１に対し、複数の集積型光変換ユニット２００−１，２００−２，２００−３を交換可能となるため、少ない部材からより多くの照明光を作り出すことが可能となる。
【００３３】
また、複数の光変換ユニットを束ね、集積型光変換ユニット２００−１，２００−２，２００−３を構成することで、照明対象物に応じた照射パターンを設計したり、より明るい光源装置を実現したり、異なる色の照明光を、光源のオンオフの切替により瞬時に切替可能な光源装置を実現できる。このとき、複数の接続部を束ねて集積型接続部５００とすることで、誤接続なく、容易に、複数の接続部を一度に着脱することが可能となる。
【００３４】
なお、本第１実施形態では、簡単のため、光源ユニットが１種、集積型光変換ユニットが３種のシステムについて説明したが、実際の利用に際しては、要求される照明光の機能に応じて、もっと多くの光源ユニット、集積型光変換ユニットを適切に用意することができる。光源ユニットに搭載する１次光源も、半導体レーザ１０−１に限らず、様々なレーザ光源やＬＥＤ、ランプなど、様々な光源を利用できる。光ファイバと高効率に接続可能な光源であれば、より望ましい。
【００３５】
また、光変換ユニットに搭載した光変換素子についても同様であり、上述した蛍光体、拡散部材に限らず、様々な光変換素子が利用可能である。例えば、種々の粉末蛍光体やセラミック蛍光体、単結晶蛍光体などはもちろん、量子ドットや半導体発光素子、有機発光素子などを用いることができる。また、蛍光体の射出面に、蛍光の一部の波長をカットするフィルタを配置することで、所望の波長域の蛍光のみを取り出すことが可能となる。あるいは、１次光をカットするフィルタを搭載することで、蛍光のみを取り出すように構成することが可能となる。また、拡散部材も、透明な部材の表面に凹凸加工を施したタイプなども用いることができる。さらに、放射角を調整するためのレンズ群、回折格子や偏光素子、フォトニック結晶など、さまざまな光変換素子を用いることで、射出される２次光の放射角や強度分布を最適化したり、指向性を持たせることも可能である。また、様々な波長フィルタを用いることで、所望の波長域の光のみを取り出したり、カットしたりするように構成することも可能である。
【００３６】
［第２実施形態］
次に、本発明の第２の実施形態について説明する。
基本的な構成については第１実施形態と共通であるため、ここでは第１実施形態と異なる部分についてのみ説明する。
【００３７】
本実施形態に係る光源システムは、図４に示すように構成されており、基本的には、図１に示した第１実施形態と共通に構成されている。上記第１実施形態と比べ、光源ユニットが有する１次光源の数と、集積型光変換ユニットの有する光変換ユニットの数、及び集積型接続部の有する接続部の数が互いに異なっている。
【００３８】
すなわち、本実施形態においては、光源ユニットの有する第１の集積型接続部の有する接続部のうち、１次光源と光学的に接続されている接続部を有効な光源ユニット側接続部とし、集積型光変換ユニットの有する第２の集積型接続部の有する接続部のうち、光変換ユニットと光学的に接続されている接続部を有効な光変換ユニット側接続部としたとき、有効な光源側接続部と有効な光変換ユニット側接続部の数が互いに異なっている集積型光変換ユニットを有する集積型光変換ユニット群の例を示している。本実施形態では、有効な光源側接続部の数と比べ、有効な光変換ユニット側接続部の数が少ない集積型光変換ユニットを有する集積型光変換ユニット群の例を説明する。
【００３９】
本実施形態における光源ユニットは、図４に示すように、２種類の半導体レーザ１０−１，１０−２をそれぞれ二つずつ有する光源ユニット１００−２である。この光源ユニット１００−２は、上記第１実施形態と同じ４５０ｎｍの青色レーザ光を射出する半導体レーザ１０−１と、それとは異なる４０５ｎｍの青紫色レーザ光を射出する半導体レーザ１０−２と、を有している。計４つの半導体レーザ１０−１，１０−２にはそれぞれ第１の光ファイバ２０が接続され、第１の集積型接続部としての多芯コネクタ５２２に接続されている。すなわち、多芯コネクタ５２２は、４つの接続部を有している。言い換えると、光源ユニット１００−２の有する接続部保持部材５６は、４箇所の接続部取付位置を有しており、その全てに接続部が取り付けられている。  
それ以外の構成については、上記第１実施形態と同様に構成されている。
【００４０】
一方、本実施形態における集積型光変換ユニットは、３つの集積型光変換ユニット２００−４，２００−５，２００−６をメンバーとして有している。ここで、第４の集積型光変換ユニット２００−４は、上記第１実施形態と同じ蛍光体３０−１が挿入された保持部材４０−１を二つと、４０５ｎｍの青紫光を赤色光に光変換する蛍光体３０−２が搭載された保持部材４０−３を二つと、の計４つの光変換ユニットを有している。また、該第４の集積型光変換ユニット２００−４は、４つの接続部を有する第２の集積型接続部としての多芯コネクタ５４２を有しており、４つの接続部から延びた４本の光ファイバ２２はそれぞれ４つの保持部材４０−１，４０−２に接続されている。
【００４１】
また、第５の集積型光変換ユニット２００−５は、上記第４の集積型光変換ユニット２００−４に搭載された光変換ユニット４つのうち、蛍光体３０−１を有する光変換ユニット二つのみを有している。また、該第５の集積型光変換ユニット２００−５は、４つの接続部を有する第２の集積型接続部としての多芯コネクタ５４２を有している。この多芯コネクタ５４２の有する４つの接続部のうち、光源ユニット１００−２の有する半導体レーザ１０−１に接続される二つの接続部と光学的に接続されるポートに、第２の光ファイバ２２が接続され、蛍光体３０−１を搭載した光変換ユニットまで延びている。また、残りの二つのポートには、レーザ光が外部に漏れ出すのを防ぐ遮光手段としてのシャッタ５９９が設けられている。すなわち、有効な接続部の数は二つとなっている。ここで、有効な接続部の数とは、接続部の先が光変換ユニットに接続されているものを言い、見かけ上接続部は有ってもどこにも接続されていないものは有効な接続部ではない。言い換えると、接続部保持部材５８は、４つの接続部搭載可能位置を有しており、このうち、二つに接続部が、残り二つにシャッタ５９９が取り付けられている。
【００４２】
また、第６の集積型光変換ユニット２００−６は、第４の集積型光変換ユニット２００−４に搭載された光変換ユニット４つのうち、蛍光体３０−１を有する光変換ユニット一つと、蛍光体３０−２を有する光変換ユニット一つの、計二つの光変換ユニットを有している。また、該第６の集積型光変換ユニット２００−６は、４つの接続部を有する第２の集積型接続部としての多芯コネクタ５４２を有している。この多芯コネクタ５４２の有する４つの接続部のうち、光源ユニット１００−２の有する半導体レーザ１０−１に接続される二つの接続部のうちの一つと、半導体レーザ１０−２に接続される二つの接続部のうちの一つの、計二つの接続ポートに、第２の光ファイバ２２が接続され、蛍光体３０−１，３０−２を有する光変換ユニット一つずつまで延びている。また、残りの二つのポートには、レーザ光が外部に漏れ出すのを防ぐ遮光手段としてのシャッタ５９９が設けられている。すなわち、有効な接続部の数は二つである。言い換えると、接続部保持部材５８は、４つの接続部搭載可能位置を有しており、このうち、二つに接続部が、残り二つにシャッタ５９９が、それぞれ取り付けられている。
【００４３】
なお、集積型光変換ユニット２００−４，２００−５，２００−６における、光変換ユニット保持部材６０−４，６０−５，６０−６上の個々の光変換ユニットの配置は、目的に応じて適宜設計できる。例えば、円筒状の光変換ユニット保持部材６０−４−Ａを用いた場合の構成例を図５（Ａ）に、板状の光変換ユニット保持部材６０−４−Ｂを用いた場合の構成例を図５（Ｂ）に、それぞれ示す。図５（Ａ）に示す第４の集積型光変換ユニット２００−４−Ａの例では、細い孔などの内部を照明する構成に適しており、図５（Ｂ）に示す第４の集積型光変換ユニット２００−４−Ｂの例では、薄いクラック状の隙間の内部などを照明する場合に適している。このように、同じ光変換ユニットを搭載した集積型光変換ユニット２００−４，２００−５，２００−６であっても、光変換ユニット保持部材６０−４，６０−５，６０−６上の取り付け位置を変更することで、先端ユニットのサイズや形状を目的に適した形にすることができる。また、照明対象に照射される照射パターン形状を目的に適した形にすることができる。
【００４４】
次に、本第２実施形態に係る光源システムの動作について説明する。動作についても、基本的には、上記第１実施形態に係る光源システムの動作と変わらない。ここでは、上記第１実施形態との違いのみについて説明する。
【００４５】
はじめに、光源ユニット１００−２と第４の集積型光変換ユニット２００−４を組み合わせた光源装置の動作について説明する。
【００４６】
半導体レーザ１０−１から射出される青色レーザ光は、光ファイバ２０，２２により蛍光体３０−１に導光され、青色レーザ光の一部を黄色の蛍光に変換し、残りの一部を透過することで、白色光を射出する。このとき射出される白色光のスペクトルを図６に示す。図６のうち、青色半導体レーザ１０−１を点灯させたときのスペクトルが、青色レーザ光８１と黄色蛍光９１である。このときの照明光は、見た目では白色光であるが、波長６００ｎｍ以上となる赤色成分の光が弱い。
【００４７】
次に、半導体レーザ１０−２から射出される青紫色レーザ光は、光ファイバ２０，２２により蛍光体３０−２に導光され、青紫色レーザ光の一部を赤色の蛍光に変換する。図６のうち、青紫色半導体レーザ１０−２を点灯させたときのスペクトルが、青紫色レーザ光８２と赤色蛍光９２である。なお、本実施形態では、蛍光体３０−２は青紫色レーザ光８２の一部を吸収して赤色蛍光９２に変換する一方、別の一部を透過する例を示したが、青紫色レーザ光８２の全てを赤色蛍光９２に変換するように構成してもかまわない。
【００４８】
すなわち、半導体レーザ１０−１，１０−２の両方を点灯させた場合、第４の集積型光変換ユニット２００−４から射出される照明光のスペクトルは、図６に示すような、青紫色レーザ光８２、青色レーザ光８１、黄色蛍光９１と赤色蛍光９２を重ね合わせた蛍光９９となる。
【００４９】
次に、光源ユニット１００−２と第５の集積型光変換ユニット２００−５を組み合わせた光源装置の動作について説明する。  
半導体レーザ１０−１を点灯させたときの動作については、上記第１実施形態における光源ユニット１００−１と第１の集積型光変換ユニット２００−１とを組み合わせた場合と同様である。
【００５０】
一方、半導体レーザ１０−２を点灯させると、光源ユニット１００−２の有する多芯コネクタ５２２の、半導体レーザ１０−２と接続されている接続部から、第５の集積型光変換ユニット２００−５の有する多芯コネクタ５４２の、どこにも接続されていない接続部に青紫色レーザ光が照射される。しかし、このどこにも接続されていない接続部には、レーザ光が外部に漏れ出すのを防ぐ遮光手段としてのシャッタ５９９が設けられているため、レーザ光はシャッタ５９９に遮光され、外部に漏れ出すことはない。
【００５１】
次に、光源ユニット１００−２と第６の集積型光変換ユニット２００−６を組み合わせた光源装置の動作について説明する。  
光源ユニット１００−２のうち、多芯コネクタ５２２，５４２を経由して蛍光体３０−１，３０−２と光学的に接続されている半導体レーザ１０−１，１０−２を点灯させたときの動作は、基本的に上述した、光源ユニット１００−２と第４の集積型光変換ユニット２００−４を接続したときの動作と同様である。上述した例では、半導体レーザ１０−１，１０−２と、蛍光体３０−１，３０−２を有する光変換ユニットがそれぞれ二つずつ組み合わされていたが、型第６の集積型光変換ユニット２００−６を組み合わせた場合は、それぞれ一つずつである点を除いて、同様に動作する。
【００５２】
また、光源ユニット１００−２の有する多芯コネクタ５２２の、どこにも接続されていない接続部の動作についても、上述した第５の集積型光変換ユニット２００−５の場合の動作と同様である。シャッタ５９９に照射されたレーザ光は、これに吸収されて、外部に漏れ出すことはない。
【００５３】
以上のように、本第２実施形態に係る光源システムでは、一つの光源ユニット１００−２に異なる１次光源を搭載し、集積型光変換ユニット２００−４，２００−５，２００−６にも、異なる機能、数の光変換ユニットを搭載し、これらを適切に組み合わせることで、必要とされる様々な照明光を実現することが可能となる。
【００５４】
つまり、本実施形態によれば、必要とする照明光の特性に応じて集積型光変換ユニット２００−４，２００−５，２００−６を選択することができる。すなわち、上記第１実施形態の構成では、赤色成分の光が他の色に比べてやや弱く、この赤色成分の光が弱いことは、照明しようとする対象物によっては問題となる場合がある。例えば、赤色の物体を照明する場合、赤色成分が少ない照明光では暗く見えてしまう。本実施形態の構成によると、明るく且つ赤色成分が必要な用途では、光源ユニット１００−２と第４の集積型光変換ユニット２００−４を組み合わせれば良く、赤色成分が重要でない用途では、第５の集積型光変換ユニット２００−５を用いれば良い。第５の集積型光変換ユニット２００−５は、搭載されている光変換ユニット数が二つと少ないため、集積型光変換ユニットを小型で安価にすることができる。また、明るさは必要ないが、赤色成分が必要な場合には、第６の集積型光変換ユニット２００−６を用いることで、必要な光を得ることができる。この第６の集積型光変換ユニット２００−６も、小型で低コストの集積型光変換ユニットである。
【００５５】
このように、用途に応じた照明装置を、共通の光源ユニット１００−２により実現することができる。
【００５６】
なお、本実施形態では、光源ユニットは、２種類の光を射出する１次光源が二つずつ搭載された例を示したが、これに限らない。用途に応じて３種類以上の１次光源を搭載しても良いし、また、同じ光源を３個以上搭載してもかまわない。このように構成することで、より明るい光源装置を実現したり、より多くの色やスペクトルの異なる照明光を実現することができる。
【００５７】
また、本実施形態では、接続部は、４芯の多芯コネクタを用いる例を示したが、これに限らない。２芯以上であれば、接続により異なる照明光を実現することが可能になる。また、５芯以上であれば、さらに多くの異なる照明光を実現することが可能となる。
【００５８】
さらに、本実施形態では、黄色蛍光に赤色蛍光を加えて赤色の演色性を向上する例を示したが、これに限らない。例えば、４０５ｎｍの青紫色レーザ光を青色に変換する蛍光体を用いることで、青色成分の強度を向上することができる。これにより、青色の物体を明るく照明するようにすることができる。
【００５９】
なお、このような光源システムにおいて、特に明るさは必要なく、白色光と、赤色成分を付加した白色光とを利用したいユーザに対しては、１次光源の数を減らした光源ユニットを提供することで、小型で安価な照明装置を実現することができる。
【００６０】
図７に示す光源ユニット１００−３は、青色光を射出する半導体レーザ１０−１と青紫色光を射出する半導体レーザ１０−２を一つずつ有している。第１の集積型接続部としての多芯コネクタ５２２は、本第２実施形態に示した全ての集積型光変換ユニット２００−４，２００−５，２００−６と接続可能であるが、第６の集積型光変換ユニット２００−６との組み合わせにおいて、半導体レーザ１０−１のみを点灯させれば白色光を得ることが可能であり、これに加えて半導体レーザ１０−２も点灯させれば赤色成分を付加することが可能となる。なお、この場合の有効な接続部の数は２である。また、有効でない二つの接続部には蓋としてのシャッタ５９９が設けられている。言い換えると、接続部保持部材５６は、４つの接続部搭載可能位置を有しており、このうち、二つに接続部が、残り二つにシャッタ５９９が、それぞれ取り付けられている。
【００６１】
また、将来的に明るい照明光が必要になった場合には、光源ユニット１００−２と第４の集積型光変換ユニット２００−４を購入することで、明るい光源にステップアップできる。このときも、すでに所有している第６の集積型光変換ユニット２００−６も継続して利用することができる。
【００６２】
さらに、すでに光源ユニット１００−２と、複数の集積型光変換ユニットを所有しているユーザに対しては、小型でこのような光源ユニット１００−３は、予備やハンディ光源ユニットとして利用することができる。
【００６３】
すなわち、本実施形態の光源システムにおいて、光源ユニット１００−２と光源ユニット１００−３は、光源ユニット群を構成しており、ユーザは、この光源ユニット群から、その目的に応じた光源ユニットを調達したり、所有している光源システムに追加したりすることが可能である。
【００６４】
［第２実施形態の変形例］
次に、本発明の第２実施形態に係る光源システムの変形例について説明する。
【００６５】
本変形例では、上記第２実施形態に説明した集積型光変換ユニット２００−４，２００−５，２００−６と組み合わせて用いることができる、別の構成による光源ユニットの構成を説明する。
【００６６】
上記第２実施形態で説明した光源ユニット１００−２では、青色光を射出する半導体レーザ１０−１二つと、青紫色光を射出する半導体レーザ１０−２二つの４つの半導体レーザを用いていた。本変形例における光源ユニット１００−４では、図８に示すように、半導体レーザ１０−１と１０−２をそれぞれ一つずつとし、これと、入射端１、射出端２の１×２の光カプラ２７を組み合わせることで、青色光、青紫色光を、第１の集積型接続部としての多芯コネクタ５２２の接続ポートから射出するように構成されている。すなわち、導光路の一部を光ファイバ２０から光カプラ２７に置き換えて構成されている。光カプラは、光ファイバのコア部分を光学的に結合させる手法で作成する、一般的な光ファイバ技術によるものを利用することができる。
【００６７】
このような構成においては、半導体レーザ１０−１，１０−２から射出されたレーザ光は、光カプラ２７の入射端に入射し、これによりそれぞれが二つの光路に分岐され、多芯コネクタ５２２の４つの接続部のうち、それぞれが二つから射出される。その後の動作については、上記第２実施形態と同様である。
【００６８】
このように構成することで、より少ない数の半導体レーザにより、集積型光変換ユニット２００−４，２００−５，２００−６の有する、より多くの光変換ユニットから照明光を射出することが可能となる。
【００６９】
これにより、集積型光変換ユニットの発光点を半導体レーザの数より多くすることができる。その結果、近接した照明対象を照明する場合などに、影ができにくいように照明光の射出部を配置することが可能となる。また、半導体レーザの数を減らすことで、光源ユニットをコンパクトで安価に提供することが可能となる。
【００７０】
なお、本変形例では、光カプラに、１×２の光カプラ２７を用いる例を示したが、これに限らない。例えば、１×３以上の多分岐タイプを用いることで、光変換ユニット数をより多くすることが可能となり、影ができにくいなど、より自由に照明パターンを設計することが可能となる。
【００７１】
また、入射側が複数の光カプラを用い、一方に戻り光のモニタを設けることもできる。これにより、光変換ユニットから戻ってきたレーザ光や、光変換された光変換光の状況をモニタすることが可能となる。
【００７２】
例えば、図９に示すように、光源ユニット１００−５は、入射端２、射出端２の２×２の光カプラ２８を用いた例を示している。二つの光カプラ２８それぞれの有する二つの入射端のうち、半導体レーザ１０−１，１０−２と接続されていないほうの入射端に、光検出器１２が配置されている。これにより、半導体レーザ１０から射出されたレーザ光が、光学的に接続された光変換ユニットに照射された後、手元側に戻ってきた戻り光や、光変換された光変換光を、光検出器１２で検出することが可能となる。
【００７３】
さらに、上記第２実施形態の変形例では、光カプラは、光源ユニット１００−４，１００−５側に設けられる例を示したが、これを集積型光変換ユニット側に用いることも可能である。これにより、接続部の数を増やすことなく、集積型光変換ユニットの有する光変換ユニットの数を増やすことができる。
【００７４】
なお、集積型光変換ユニットに搭載される光変換ユニットの種類は、上述した実施形態で示した例の他、様々な変形が可能である。例えば、耐熱性を向上し、より強い１次光を変換可能としたものや、波長変換フィルタ、複数の蛍光体を混合または積層したもの、及び、それらの複数を組み合わせたもの、などが可能である。
【００７５】
以上実施形態に基づいて本発明を説明したが、本発明は上述した実施形態に限定されるものではなく、本発明の要旨の範囲内で種々の変形や応用が可能なことは勿論である。
【００７６】
例えば、上記全ての実施形態において、導光路として光ファイバ２０，２２を用いる例のみを示したが、これに限らない。一般に使用される様々な導光路を使用することができる。例えば、フィルム基板上に屈折率の異なる領域を互いに接するように構成されるフィルム導光路や、半導体基板上に屈折率の異なる領域を互いに接することで構成される半導体導光路や、樹脂等により構成されるスラブ型導光路など、様々な導光路を利用することが可能である。この場合、複数の導光路を一つの基板上に形成したものを利用することも可能である。
【００７７】
また、同様に、導光路としての光カプラ２７，２８も光ファイバを光学的に結合させたものに限らず、一般意使用される様々な導光路による光カプラを使用することができる。例えば、上述のフィルム導光路や、半導体基板導光路、樹脂によるスラブ型導光路など様々な導光路を用いることができる。
【００７８】
図１０は、フィルム導光路９０の一例を示している。同図に示すように、透明なフィルム基板９００上に、該フィルム基板９００より屈折率の高い透明な部材により導光部９１０が形成され、さらにその上に、フィルム基板９００と略等しい屈折率を有する透明なカバー部材９２０が配置されて、フィルム導光路９０が構成されている。このように構成することで、導光部９１０に入射した光は、フィルム基板９００やカバー部材９２０に伝播しにくくなり、効率良く光を導光することが可能に構成されている。
【００７９】
図１１は、フィルム導光路技術による光カプラの一例を、上面から見た透視図として示している。入射端９３１から入射した１次光は、光カプラ部９５０で二つの経路に分岐し、射出端９３３から射出される。
【００８０】
なお、集積型接続部５００は、フィルム導光路を着脱可能とするコネクタ等、通常の技術を用いることができる。
【００８１】
さらに、フィルム導光路以外の半導体導光路やスラブ型導光路などを用いる場合、接続部は適宜、適切な技術を選択すれば良い。
【００８２】
その他、発明の趣旨を逸脱しない範囲で様々な修整が可能である。
【符号の説明】
【００８３】
１０−１，１０−２…半導体レーザ、  １２…光検出器、  ２０…光ファイバ、  ２０，２２…光ファイバ、  ２７，２８…光カプラ、  ３０−１，３０−２…蛍光体、  ３２−１…拡散部材、  ４０−１〜４０−３…保持部材、  ４２…フェルール、  ５２…第１の接続部、  ５４…第２の接続部、  ５６，５８…接続部保持部材、  ６０−１〜６０−６，６０−４−Ａ，６０−４−Ｂ…光変換ユニット保持部材、  ８１…青色レーザ光、  ８２…青紫色レーザ光、  ９０…フィルム導光路、  ９１…黄色蛍光、  ９２…赤色蛍光、  ９９…蛍光、  １００−１〜１００−５…光源ユニット、  ２００−１〜２００−６，２００−４−Ａ，２００−４−Ｂ…集積型光変換ユニット、  ５００…集積型接続部、  ５２０，５２２，５４０，５４２…多芯コネクタ、  ５９９…シャッタ、  ９００…フィルム基板、  ９１０…導光部、  ９２０…カバー部材、  ９３１…入射端、  ９３３…射出端、  ９５０…光カプラ部。
【図１】
0005762793.tif 000002
【図２】
0005762793.tif 000003
【図３】
0005762793.tif 000004
【図４】
0005762793.tif 000005
【図５】
0005762793.tif 000006
【図６】
0005762793.tif 000007
【図７】
0005762793.tif 000008
【図８】
0005762793.tif 000009
【図９】
0005762793.tif 000010
【図１０】
0005762793.tif 000011
【図１１】
0005762793.tif 000012